(57)【特許請求の範囲】
【請求項１】
温風吹出口と空気取入口を設けた本体と、この本体の前記温風吹出口と前記空気取入口を連絡する風路と、前記空気取入口より空気を吸気して風路内に送風する送風ファンと、燃焼器からの燃焼ガスを上部開口より風路内に放出する燃焼筒とを具備し、前記空気取入口の上端が前記温風吹出口の上端より上位に設けられている温風暖房機において、前記風路の天井壁に、前記燃焼筒の開口部上方よりも温風吹出口側に位置して異常過熱温度を検出して燃焼器の燃焼を停止させる過熱防止用サーモを設置すると共に前記燃焼筒の開口部上方よりも空気取入口側に位置して暖房時の最も高い室内温度よりも高く前記過熱防止用サーモと同等又はそれよりも低い温度を検出して燃焼器の燃焼を停止させるサーミスタを設置し、該サーミスタはその先端部分を前記風路内に突出させて設置し、前記燃焼筒は、その上部開口の温風吹出口側が蓋板で閉塞され、かつ前記蓋板は、その空気取入口側の端部に前記送風ファンが故障して送風ファンから空気が送られない場合に前記燃焼筒の上部開口から放出される燃焼ガスを前記風路内に突出させたサーミスタの先端部分に向かって上昇させるガイド部を有する構成としたことを特徴とする温風暖房機。
【発明の詳細な説明】
【０００１】
【発明の属する技術分野】
本発明は、石油ファンヒーター等の温風暖房機に関するものである。
【０００２】
【従来の技術】
従来の温風暖房機、例えば、石油ファンヒーター等では、燃焼器からの燃焼ガスと送風ファンからの室内空気とを風路内で混合して、適度の温風を室内へ吹き出すようにしている。
【０００３】
このような形態の温風暖房機においては、空気取入口フィルターの埃詰まりや障害物による空気取入口の閉塞によって徐々に空気量が減少し、本体内部温度が過剰な高温となり、他の部位の故障を招いたり、あるいは空気取入口フィルターや温風吹出口から高温の熱気を放出させることになる。
【０００４】
このようなことを防止するため、一般的に、温度検出手段を設けて本体内部温度や温風温度を検出し、あらかじめ設定した所定温度を超えて検出された際には燃焼器の燃焼を停止するようにしている。
【０００５】
【発明が解決しようとする課題】
しかし、上記従来のように、単に温度検出手段を設けて本体内部温度や温風温度を検出し、あらかじめ設定した所定温度を超えて検出された際には燃焼器の燃焼を停止するように構成しただけでは、送風ファンは正常に作動しているが、ゴミや障害物によって取入れ空気量の減少し、徐々に本体内部温度が上昇する現象がある一方で、送風ファンの故障により急激に本体内部温度が上昇し、これに連動して本体ケ−スを異常過熱することがある。このような場合には、前記所定温度で燃焼を停止してもオーバーシュートにより過剰に本体内部温度が上昇してしまう。これを考慮して燃焼停止をする所定温度を下げると、空気取入口フィルターの軽微な埃詰まり等によっても燃焼が停止してしまうという不都合が生じやすくなる。
【０００６】
本発明はこのような不都合を解決するために、空気取入口フィルターの軽微な埃詰まりや障害物による閉塞等による取入れ空気量減少によって燃焼が停止することなく、かつ送風ファンの故障の際には即座に燃焼を停止させて、本体内部温度のオーバーシュートによる過剰上昇を防止できる温風暖房機を得ることを目的とする。
【０００７】
【課題を解決するための手段】
本発明の温風暖房機は、温風吹出口と空気取入口を設けた本体と、この本体の前記温風吹出口と前記空気取入口を連絡する風路と、前記空気取入口より空気を吸気して風路内に送風する送風ファンと、燃焼器からの燃焼ガスを上部開口より風路内に放出する燃焼筒とを具備し、前記空気取入口の上端が前記温風吹出口の上端より上位に設けられている温風暖房機において、前記風路の天井壁に、前記燃焼筒の開口部上方よりも温風吹出口側に位置して異常過熱温度を検出して燃焼器の燃焼を停止させる過熱防止用サーモを設置すると共に前記燃焼筒の開口部上方よりも空気取入口側に位置して暖房時の最も高い室内温度よりも高く前記過熱防止用サーモと同等又はそれよりも低い温度を検出して燃焼器の燃焼を停止させるサーミスタを設置し、該サーミスタはその先端部分を前記風路内に突出させて設置し、前記燃焼筒は、その上部開口の温風吹出口側が蓋板で閉塞され、かつ前記蓋板は、その空気取入口側の端部に前記送風ファンが故障して送風ファンから空気が送られない場合に前記燃焼筒の上部開口から放出される燃焼ガスを前記風路ないに突出させたサーミスタの先端部分に向かって上昇させるガイド部を有する構成としたものである。
【００１１】
【発明の実施の形態】
実施の形態１．
本発明の温風暖房機の実施の形態１について図１〜図５を用いて説明する。
図１は本発明の実施の形態１を示す温風暖房機の概略断面図で、図２はその背面から見た外観図である。図３は本発明の実施の形態１における通常使用状態での空気・燃焼ガス・温風の流れを示す概略断面図であり、図４は本発明の実施の形態１における送風ファンからの空気量減少時の空気・燃焼ガス・温風の流れを示す概略断面図であり、図５は本発明の実施の形態１における送風ファン故障時の燃焼ガスの流れを示す概略断面図である。
【００１２】
図において、１は温風暖房機本体を構成する本体ケース、２はこの本体ケースの前面に下部より設けられた温風吹出口、３は同じく本体ケースの後面の上部よりに設けられた空気取入口、４は灯油などの液体燃料を燃焼させる燃焼器、５はこの燃焼器４の外周を覆うように設けられ、前記燃焼器４からの燃焼ガスをその上部に形成した開口６より放出する燃焼筒、７はこの燃焼筒５の開口６の温風吹出口２側を覆っている蓋板で、その端部に燃焼ガスの流出を後方へ向かわせるためのガイド部７ａを設けている。８は前記空気取入口３部分に設けた送風ファンで、空気取入口フィルターを兼ねた保護ガード９を介して本体ケース１後面に取り付けられている。１０は前記温風吹出口２と空気取入口３との間を連絡する風路、１１はこの風路１０の天井壁１０ａ外面に設置された過熱防止用温度検出手段としての過熱防止用サーモ、１２はこの過熱防止用サーモの動作温度よりも低い温度を検出して動作する温度検出手段としてのサーミスタで、このサーミスタ１２は前記燃焼筒５の開口６の上方よりも空気取入口３側に位置して設置してあり、さらに、その先端部分を風路１０内に突出させて設置している。なお、前記過熱防止用サーモ１１は前記燃焼筒５の開口６の上方から温風吹出口２の間に位置して設置される。１３は前記過熱防止用サーモ１１、サーミスタ１２の検出信号を受けて前記燃焼器４、送風ファン８の運転を制御する制御回路が搭載された制御基板である。
【００１３】
燃焼筒５の開口６は、本体ケース１後面の空気取入口３の上端３ａより下方に位置し、かつ温風吹出口２の上端２ａよりも上方に位置している。送風ファン８の後方には風路１０内への埃等の侵入を防ぐため空気取入口フィルター９が取り付けられている。
【００１４】
風路１０内の温度を検出する温度検出手段として、過熱防止用サーモ１１とサーミスタ１２の２つが備えられ、一方の過熱防止用サーモ１１は風路１０の任意の位置、例えば燃焼筒５の上方より温風吹出口２側の風路の外側に設置され、もう一方のサーミスタ１２は燃焼筒５の開口６上方よりも後方、すなわち空気取入口３側に位置して設置される。
【００１５】
次に、上記構成からなる実施の形態１の動作について説明する。
風路５は、本体ケース１後面の空気取入口３から送風ファン８により室内空気を取り込み、燃焼筒５の開口６からの燃焼ガスと混合して本体ケース１前面の温風吹出口２から室内へと温風を吹き出す。
【００１６】
次に図３により、通常の使用状態での取入れ空気・燃焼ガス・温風の流れを説明する。なお、図中、１４は取入れ空気の流れ、１５は燃焼ガスの流れ、１６は温風の流れを示している。
送風ファン８の動作により取り込まれた取入れ空気１４の一部は燃焼筒５の開口６から排出される燃焼ガス１４と混合され、一部は燃焼器４からの火炎および燃焼ガス１５により温められた燃焼筒５から熱を奪い、適温の温風１６にした後、温風吹出口２から室内へ送風する。このとき、過熱防止用サーモ１１は適温の温風１６の温度を検知しており、一方、サーミスタ１２は送風ファン８から送られた室内空気の温度とほぼ同等の温度を検知し、温風温度に異常なしとしてそのまま運転を継続させる。
【００１７】
次に図４により、取入れ風量減少時の取入れ空気・燃焼ガス・温風の流れを説明する。
送風ファン８の後面に設けられた保護ガード兼空気取入口フィルター９に埃が付着した場合、あるいは障害物などにより保護ガード兼空気取入口フィルター９の一部が閉塞された場合、風路１０内に送られる空気量が減少し、風路１０の温度が上昇する。その時に過熱防止用サーモ１１は確実に上昇した風路１０の温度を検知しており、保護ガード兼空気取入口フィルター９への埃付着や障害物による空気取入口３の閉塞が他の部位の故障を招いたり、あるいは温風吹出口２から高温の熱気を放出させるレベルであると設定した所定温度を検知した場合には温風温度に異常ありとして燃焼器４の燃焼を停止させる。このとき、燃焼が停止されるまで、サーミスタ１２は送風ファン８から送られた室内空気温度とほぼ同等の温度を検知しているので、サーミスタ１２は異常を検知しない。
【００１８】
次に図５により、運転中に送風ファンが故障して停止した場合、あるいは運転開始時に送風ファンが故障していて始動しない場合の燃焼ガスの流れを説明する。
この場合は、送風ファン８から空気が送られないため、燃焼ガス１５はドラフト力のみで流れ、燃焼筒５の開口６が送風ファン８の空気取入口３の上端３ａより下方かつ温風吹出口２の上端２ａより上方に位置していると、燃焼筒５の上部開口６を出た燃焼ガス１５は空気取入口３のベルマウス上方先端部３ａ付近を通って送風ファン８の保護ガード兼空気取入口フィルター９へ向かって流れる。このとき、燃焼ガス１５は燃焼筒５の開口６を出るとき、蓋板７の端部に設けられたガイド部７ａによって風路１０内に突出しているサーミスタ１２の先端部分に向かって上昇するため、サーミスタ１２はこの高温の燃焼ガス温度を瞬時に検知して燃焼器４の燃焼を即座に停止させる。
【００１９】
このように、サーミスタ１２は送風ファン８に故障がない限り、室内空気の温度とほぼ同じ温度を常時検知しており、送風ファン８が故障した場合のみ、高温の燃焼ガス温度を検知するようになっているので、サーミスタ１２はこの高温の燃焼ガス温度を瞬時に検知して燃焼器４の燃焼を即座に停止させることができ、ものである。
【００２０】
また、サーミスタ１２が送風ファン８の異常を検知できる温度としては、暖房時の最も高い室内温度よりも高い温度であればよく、例えば、燃焼ガス温度に近い高温度に設定してもよく、またはそれより低い過熱防止用サーモ１１と同等の温度に設定してもよく、あるいはもっと低い温度に設定してもよい。
【００２１】
従って、実施の形態1の構成によれば、前記過熱防止サーモ１１は従来通り、空気取入口フィルター９の埃詰まりや障害物による空気取入口３の閉塞によって、取入れ空気量が著しく減少した際に本体内部の温度上昇による故障や温風吹出口２から高温の熱気が放出される前に、風路１０の温度を検知して制御基板１３に信号を出力し、あらかじめ設定した所定温度にて燃焼器４の燃焼を停止させることができる。一方、運転中に送風ファン８が故障したり、あるいは運転開始時に送風ファン８が故障していた場合には、燃焼ガスのドラフト力により熱気は蓋板７の端部に形成されたガイド部７ａによってサーミスタ１２に向かって流れ、当該サーミスタ１２により瞬時に、より確実に送風ファン８の異常を検出して燃焼器４の燃焼を停止させることができる。
よって、従来のようなオーバーシュートによる本体内部温度の過剰上昇や、空気取入口フィルター９の軽微な埃詰まりや障害物による空気取入口３の閉塞等による取入れ気空気量の減少によって燃焼が停止されてしまうという不都合を防止することができる。
【００２２】
【発明の効果】
以上のように本発明は、温風吹出口と空気取入口を設けた本体と、この本体の前記温風吹出口と前記空気取入口を連絡する風路と、前記空気取入口より空気を吸気して風路内に送風する送風ファンと、燃焼器からの燃焼ガスを上部開口より風路内に放出する燃焼筒とを具備し、前記空気取入口の上端が前記温風吹出口の上端より上位に設けられている温風暖房機において、前記風路の天井壁に、前記燃焼筒の開口部上方よりも温風吹出口側に位置して異常過熱温度を検出して燃焼器の燃焼を停止させる過熱防止用サーモを設置すると共に前記燃焼筒の開口部上方よりも空気取入口側に位置して暖房時の最も高い室内温度よりも高く前記過熱防止用サーモと同等又はそれよりも低い温度を検出して燃焼器の燃焼を停止させるサーミスタを設置し、該サーミスタはその先端部分を前記風路内に突出させて設置し、前記燃焼筒は、その上部開口の温風吹出口側が蓋板で閉塞され、かつ前記蓋板は、その空気取入口側の端部に前記送風ファンが故障して送風ファンから空気が送られない場合に前記燃焼筒の上部開口から放出される燃焼ガスを前記風路内に突出させたサーミスタの先端部分に向かって上昇させるガイド部を有する構成としたことにより、従来のように空気取入口フィルターの軽微な埃詰まりや障害物による空気取入口の閉塞による取入れ空気量減少によって、燃焼が停止されてしまうという不都合がなく、かつ前記送風ファンの故障の際には即座に前記燃焼器の燃焼を瞬時に停止させて、オーバーシュートによる本体内部温度の過剰上昇を防止できる。
【図面の簡単な説明】
【図１】  本発明の実施の形態１を示す概略断面図である。
【図２】  実施の形態1の温風暖房機を背面から見た外観図である。
【図３】  本発明の実施の形態１における通常時の空気の流れを示す概略断面図である。
【図４】  本発明の実施の形態１における取入れ空気量減少時の空気の流れを示す概略断面図である。
【図５】  本発明の実施の形態１における送風ファン故障時の空気の流れ概略断面図である。
【符号の説明】
１  本体ケ−ス、２  温風吹出口、２ａ  温風吹出口の上端、３  空気取入口、３ａ  空気取入口の上端、４  燃焼器、５  燃焼筒、６  開口、７  蓋板、７ａ  ガイド部、８  送風ファン、９  保護ガード兼空気取入口フィルター、１０風路、１１  過熱防止用サーモ（温度検出手段）、１２  サーミスタ（温度検出手段）、１４  取入れ空気、１５  燃焼ガス、１６  温風。
【図１】
0003965939.tif 000002
【図２】
0003965939.tif 000003
【図３】
0003965939.tif 000004
【図４】
0003965939.tif 000005
【図５】
0003965939.tif 000006